(57)【要約】【課題】回転フィルタを用いて光学像に含まれる複数の色を分離するスタンド型スキャナ装置でありながら、回転フィルタの直径を可及的に小さくし、スキャナヘッドを小型化する。【解決手段】スタンド型スキャナ装置１は、原稿から空間的に離れて配置されるスキャナヘッド４内に、原稿の光学像を電気信号に変換するＣＣＤ５と、原稿の光学像をＣＣＤ５の撮像面に結像させるレンズ群６と、回転方向に並ぶ複数色のフィルタ７ａ〜７ｄによって、原稿の光学像に含まれる複数の色を分離する回転フィルタ７と、を備え、回転フィルタ７は、レンズ群６に含まれる２枚のレンズ６ａ〜６ｄの間に配置される。【選択図】図２
2010109784.tif 000002
【特許請求の範囲】
【請求項１】
被写体から空間的に離れて配置されるスキャナヘッドと、
このスキャナヘッド内に配設される、
被写体の光学像を電気信号に変換する撮像素子と、
被写体の光学像を前記撮像素子の撮像面に結像させるレンズ群と、
回転方向に並ぶ複数色のフィルタによって、被写体の光学像に含まれる複数の色を分離する回転フィルタと、を備え、
前記回転フィルタは、
前記レンズ群に含まれる２枚のレンズの間に配置される
ことを特徴とするスタンド型スキャナ装置。
【請求項２】
前記回転フィルタは、前記レンズ群に含まれる２枚のレンズの間のうち、前記レンズ群の中で光束が最も細くなる位置を含む２枚のレンズの間に配置される請求項１記載のスタンド型スキャナ装置。
【請求項３】
前記回転フィルタを透過する光束の断面積は、前記撮像素子の有効撮像面積よりも小さく、かつ、撮像素子と対向するレンズの有効透過面積よりも小さい請求項１又は２記載のスタンド型スキャナ装置。
【請求項４】
前記回転フィルタは、カラー撮像用の複数の色フィルタに加え、モノクロ撮像用のクリアフィルタを備える請求項１〜３のいずれかに記載のスタンド型スキャナ装置。
【請求項５】
前記回転フィルタの各色フィルタは、回転方向の長さを定める開き角度が、各色の色感度にもとづいて設定される請求項１〜４のいずれかに記載のスタンド型スキャナ装置。
【請求項６】
前記撮像素子と、その撮像面に結像される被写体の光学像との相対位置をずらす画素ずらし機構を備える請求項１〜５のいずれかに記載のスタンド型スキャナ装置。
【請求項７】
被写体から空間的に離れた位置に、
被写体の光学像を電気信号に変換する撮像素子と、
被写体の光学像を前記撮像素子の撮像面に結像させるレンズ群と、
回転方向に並ぶ複数色のフィルタによって、被写体の光学像に含まれる複数の色を分離する回転フィルタと、を配置して被写体を撮像するにあたり、
前記回転フィルタを、前記レンズ群に含まれる２枚のレンズの間に配置して、被写体の光学像に含まれる複数の色を分離する
ことを特徴とする撮像方法。
【請求項８】
前記回転フィルタを、前記レンズ群に含まれる２枚のレンズの間のうち、前記レンズ群の中で光束が最も細くなる位置を含む２枚のレンズの間に配置することを特徴とする請求項７記載の撮像方法。
【請求項９】
被写体を撮像するスキャナ装置のスキャナヘッド内に配設される撮像装置であって、
被写体の光学像を電気信号に変換する撮像素子と、
被写体の光学像を前記撮像素子の撮像面に結像させるレンズ群と、
回転方向に並ぶ複数色のフィルタによって、被写体の光学像に含まれる複数の色を分離する回転フィルタと、を備え、
前記回転フィルタは、
前記レンズ群に含まれる２枚のレンズの間に配置される
ことを特徴とする撮像装置。
【請求項１０】
前記回転フィルタは、前記レンズ群に含まれる２枚のレンズの間のうち、前記レンズ群の中で光束が最も細くなる位置を含む２枚のレンズの間に配置される請求項１０記載の撮像装置。
【発明の詳細な説明】
【技術分野】
【０００１】
本発明は、被写体から空間的に離れた位置で被写体を撮像する書画カメラなどのスタンド型スキャナ装置及び撮像方法、撮像装置に関する。
【背景技術】
【０００２】
被写体から空間的に離れた位置で被写体を撮像するスタンド型スキャナ装置が知られている（例えば、特許文献１参照）。
この種のスタンド型スキャナ装置は、被写体から空間的に離れて配置されるスキャナヘッド内に、被写体の光学像を電気信号に変換する撮像素子と、被写体の光学像を撮像素子の撮像面に結像させるレンズ群とを備えており、取得する画像の高解像度化やスキャナヘッドの小型化が望まれている。
【０００３】
なお、撮像素子としては、２次元のＣＣＤ素子やＣＭＯＳ素子を用いることができる。ＣＣＤ素子とＣＭＯＳ素子は、半導体のプロセスによる違いが主な違いであり、本発明が解決しようとする課題に直接影響するような違いはないので、以下の説明では、撮像素子としてＣＣＤ素子を用いた場合について記述する。
【０００４】
スタンド型スキャナ装置において高解像度で画像を取得するためのひとつの方法としては、撮像素子自身の画素数を高くすることが考えられる。
しかしながら、撮像素子であるＣＣＤを単板で用い、その画素数を多くすることは、少ない画素数のＣＣＤと比較してデバイスの製造において歩留まり悪くなり、ＣＣＤが高価となってしまう。また、ＣＣＤの受光面積も大きくなるため、スキャナヘッドが大型化するおそれがある。
【０００５】
また、高画質・高感度の要求性能を満たすために、３つの撮像素子を用いた３板方式を採用することも可能である。３板方式は、ＲＧＢ各色それぞれに１枚のＣＣＤを用意し、分光プリズムにより分離した各色の光学像をそれぞれのＣＣＤに受光させて、ＲＧＢそれぞれの色信号を取り出す方式である。
しかしながら、この方式では、３つのＣＣＤを設けなければならないため、装置が高価になるとともに、装置が大きくなってしまうという問題がある。
また、３板方式では、ＲＧＢそれぞれの色ずれを防止するために、３つのＣＣＤに対する位置決め精度も要求されるため、組立てには高度な技術が必要となる。
【０００６】
また、ＲＧＢそれぞれの色に対応する受光素子を縦に並べた構造をもつＣＣＤも知られている。本方式は、原色に対応する３層の光検出器で構成され、一つの素子の位置で１画素の色をフルカラーで検知することができる。
したがって、近傍の３点の色情報を合成して画素の色を検出していたこれまでの方式よりも、位置的に正確な色情報を再現することが可能であるが、３層のうち上層２層においては特定の波長の光を透過させる必要があり、かつ、光電素子において特定の波長の光を吸収しなければならないため、分光波長の透過・吸収特性に影響を受け、各色の検出精度に差異が生じやすい。
また、この方式のＣＣＤは、撮像素子全体からすると少ない数量しか市場になく、高価なものとなっている。
【０００７】
また、モノクロＣＣＤからカラーＣＣＤへ移行した場合、印鑑照合画像などの過去のデータベースとの互換性が問題となる。例えば、金融機関においては、印鑑照合の用途において、予め印鑑の画像が登録されており、現時点で登録されているデータの大半は、モノクロＣＣＤの分光波長を持つスキャナで取得された画像が基本となっている。
このため、モノクロ専用の画像取得でなく、カラーＣＣＤによって取得された画像においては、画像処理でモノクロ画像を生成することになり、異なる分光波長特性による差異が問題となる。
この差異をなくすために、一つの装置にカラー用の光学ユニットとモノクロ用の光学ユニットを持たせることも考えられるが、装置が高価になるとともに、装置が大きくなってしまうという問題がある。
【０００８】
さらに、高解像度の画像を得るために、画素ずらしを行う方法も知られている（特許文献１参照）。
この方法は、２枚の撮像間で斜め方向に画素ずらしを行い、もともと撮像素子の中心がない点を撮像の空間サンプル点とする手法であり、水平、垂直方向の解像度の向上を図る方法である。
しかしながら、ずらしの回数を増大させるにつれて、ずらしによる画素同士の重なりが多くなってしまい解像度の低下をまねく結果となるほか、ずらしの回数が増えてくると、ミクロン単位で繰り返し行うずらし量に高い精度が必要とされるため、画素ずらしのみによる高解像度化には限界がある。
【０００９】
上記以外に解像度を高くする方法としては、回転フィルタとモノクロＣＣＤとを組み合わせる方法が知られている。回転フィルタは、回転方向に並ぶ複数色のフィルタによって、被写体の光学像に含まれる複数の色を分離することが可能であるため、モノクロＣＣＤであってもカラー撮像が実現される。
例えば、特許文献２においては、カメラレンズと撮像素子との間に回転フィルタを配置する構成において、撮像とフィルタとの制御を工夫することによって、撮像時間を短縮する技術が開示されている。
また、特許文献３においては、白黒ビデオカメラで高精度のカラー静止画像を得るために、ビデオカメラのＣＣＤと赤外カットフィルタとの間に回転フィルタを配置する構成が示されている。
【００１０】
【特許文献１】特開２００１−１３６３５０号公報
【特許文献２】特開平１０−０５１７９６号公報
【特許文献３】特開平０８−１１１８７１号公報
【発明の開示】
【発明が解決しようとする課題】
【００１１】
しかしながら、回転フィルタを用いる方式においては、図９に示すように、ＣＣＤ１００とレンズ群１０１との間に回転フィルタ１０２が配置されているので、回転フィルタ１０２の直径（各色フィルタ部分の直径方向の寸法）が、ＣＣＤ１００の有効撮像面積、或いはＣＣＤ１００と対向するレンズ１０１ａの有効透過面積によって決定される。
このため、回転フィルタの直径が大きくなり、装置が大型化するという問題がある。特に、スタンド型スキャナ装置においては、スキャナヘッド内に回転フィルタが配置されることになるので、スキャナヘッドの大型化を回避するために、回転フィルタの直径を可及的に小さくすることが要求される。
【００１２】
本発明は、上記の事情にかんがみなされたものであり、回転フィルタを用いて光学像に含まれる複数の色を分離するものでありながら、回転フィルタの直径を可及的に小さくし、スキャナヘッドを小型化することができるスタンド型スキャナ装置及び撮像方法、撮像装置の提供を目的とする。
【課題を解決するための手段】
【００１３】
上記目的を達成するため本発明のスタンド型スキャナ装置は、被写体から空間的に離れて配置されるスキャナヘッドと、このスキャナヘッド内に配設される、
被写体の光学像を電気信号に変換する撮像素子と、被写体の光学像を撮像素子の撮像面に結像させるレンズ群と、回転方向に並ぶ複数色のフィルタによって、被写体の光学像に含まれる複数の色を分離する回転フィルタとを備え、回転フィルタは、レンズ群に含まれる２枚のレンズの間に配置される構成としてある。
【００１４】
また、上記目的を達成するため本発明の撮像方法は、被写体から空間的に離れた位置に、被写体の光学像を電気信号に変換する撮像素子と、被写体の光学像を撮像素子の撮像面に結像させるレンズ群と、回転方向に並ぶ複数色のフィルタによって、被写体の光学像に含まれる複数の色を分離する回転フィルタとを配置して被写体を撮像するにあたり、回転フィルタを、レンズ群に含まれる２枚のレンズの間に配置して、被写体の光学像に含まれる複数の色を分離する方法としてある。
【００１５】
また、上記目的を達成するため本発明の撮像装置は、被写体を撮像するスキャナ装置のスキャナヘッド内に配設される撮像装置であって、被写体の光学像を電気信号に変換する撮像素子と、被写体の光学像を撮像素子の撮像面に結像させるレンズ群と、回転方向に並ぶ複数色のフィルタによって、被写体の光学像に含まれる複数の色を分離する回転フィルタとを備え、回転フィルタは、レンズ群に含まれる２枚のレンズの間に配置される構成としてある。
【発明の効果】
【００１６】
本発明によれば、回転フィルタを用いて、光学像に含まれる複数の色を分離するものでありながら、回転フィルタの直径を可及的に小さくし、スキャナヘッドを小型化することができる。
【発明を実施するための最良の形態】
【００１７】
以下、本発明の好ましい実施形態について、図面を参照して説明する。
［第一実施形態］
まず、本発明の第一実施形態に係るスタンド型スキャナ装置について、図１〜図６を参照して説明する。
【００１８】
図１は、本発明の第一実施形態に係るスタンド型スキャナ装置の斜視図である。
図２は、本実施形態に係るスキャナヘッド内の配置構成を示す概略側面図、図３は、本実施形態に係るスキャナヘッドの内部構成を示す一部切り欠き側面図、図４は、本実施形態に係るスキャナヘッドの内部構成を示す斜視図、図５は、本実施形態に係る回転フィルタの正面図、また、図６は、本実施形態に係る回転フィルタが備える各色フィルタの開き角度を示す表である。
【００１９】
図１に示すように、本発明の第一実施形態に係るスタンド型スキャナ装置１は、原稿（被写体）を密着させることなく、原稿から空間的に離れた位置で原稿を撮像する画像入力装置である。
具体的には、本実施形態のスタンド型スキャナ装置１は、原稿をセットする原稿台２と、原稿台２の端部に立設されるアーム３と、アーム３の上端部に設けられるスキャナヘッド４とを備えて構成されている。
図２〜図４に示すように、スキャナヘッド４には、ＣＣＤ（撮像素子）５、レンズ群６及び回転フィルタ７が内蔵されている。これらＣＣＤ５、レンズ群６及び回転フィルタ７が、本発明の撮像装置を構成している。
【００２０】
ＣＣＤ５は、原稿の光学像を電気信号に変換する撮像素子である。
ここで、本実施形態では、撮像素子としてＣＣＤ５を採用しているが、ＣＭＯＳであっても本発明の内容を同様に適用することができる。
また、ＣＣＤには、モノクロ方式とカラー方式があるが、本発明のスタンド型スキャナ装置１は、回転フィルタ７を用いて色を分離し、カラー画像を取得する方式であるので、ＣＣＤ５はモノクロ方式のものが用いられる。
【００２１】
レンズ群６は、原稿の光学像をＣＣＤ５の撮像面に結像させる。
本実施形態のレンズ群６は、４枚のレンズ６ａ〜６ｄを備えて構成されており、これらのレンズ６ａ〜６ｄを２つの筒体６ｅ、６ｆで保持している。
【００２２】
回転フィルタ７は、回転方向に並ぶ複数色の色フィルタ７ａ〜７ｄによって、原稿の光学像に含まれる複数の色を分離する円盤状の部材であり、図示しないモータなどの回転駆動機構によって一定速度で回転される。
例えば、回転方向に赤色フィルタ７ａ、緑色フィルタ７ｂ及び青色フィルタ７ｃを並べた回転フィルタ７によれば、原稿の光学像に含まれる３原色（ＲＧＢ）を分離できるので、モノクロ方式のＣＣＤ５であってもカラー画像の取得が可能になる。
【００２３】
本発明のスタンド型スキャナ装置１においては、レンズ群６に含まれる２枚のレンズ６ａ〜６ｄの間に回転フィルタ７が配置される。
このようにすると、回転フィルタ７を用いて光学像に含まれる複数の色を分離するものでありながら、回転フィルタ７の直径を可及的に小さくし、スキャナヘッド４を小型化することができる。
【００２４】
すなわち、ＣＣＤ５とレンズ群６との間に回転フィルタ７を配置する場合には、回転フィルタ７の直径（各色フィルタ部分の直径方向の寸法）が、ＣＣＤ５の有効撮像面積、あるいはＣＣＤ５と対向するレンズ６ａの有効透過面積によって決定される。ところが、レンズ群６に含まれる２枚のレンズ６ａ〜６ｄの間においては、光束が細くなる任意の位置を選択して回転フィルタ７を配置することができる。
これにより、回転フィルタ７の各色フィルタ部分の直径方向の寸法を小さくでき、ひいては、回転フィルタ７の直径を小さくすることが可能となる。
【００２５】
また、回転フィルタ７は、レンズ群６に含まれる２枚のレンズ６ａ〜６ｄの間のうち、レンズ群６の中で光束が最も細くなる位置を含む２枚のレンズ６ａ〜６ｄの間に配置することが好ましい。
例えば、本実施形態では、ＣＣＤ５側から見て２番目のレンズ６ｂと３番目のレンズ６ｃとの間で光束が最も細くなるので、ここに回転フィルタ７を配置する。
このようにすると、回転フィルタ７の各色フィルタ部分の直径方向の寸法をさらに小さくできるので、回転フィルタ７の直径をさらに小さくすることができる。
【００２６】
また、回転フィルタ７を透過する光束の断面積は、ＣＣＤ５の有効撮像面積よりも小さく、かつ、ＣＣＤ５と対向するレンズ６ａの有効透過面積よりも小さいことが好ましい。
このようにすると、ＣＣＤ５とレンズ群６との間に回転フィルタ７を配置する場合に比べ、回転フィルタ７の直径を確実に小さくすることができる。
【００２７】
また、回転フィルタ７は、図５に示すように、カラー撮像用の複数の色フィルタ７ａ〜７ｃに加え、可視波長全域を通過させるモノクロ撮像用のクリアフィルタ７ｄを備えることが好ましい。
このようにすると、モノクロ用の光学ユニットを別途設けることなく、モノクロ撮像を行うことができる。
【００２８】
モノクロ画像は、カラー方式のＣＣＤで取得した各色の画像を合成して得ることも可能であるが、各色から白黒濃度を算出する割合に工夫をこらしても、可視領域全域を連続して通過させているモノクロ方式のＣＣＤとは特性に相違がある。
例えば、金融機関などで用いている印鑑の印影データベースは、モノクロ方式のＣＣＤで撮像された画像を登録画像としている場合が多いため、カラー方式のＣＣＤから合成されるモノクロ画像と、クリアフィルタ７ｄを透過させてモノクロ方式のＣＣＤで取得したモノクロ画像とを比較すると、もともとの印影データベースに近い波長特性をもつのは後者ということになる。
したがって、モノクロ方式のＣＣＤで取得されたデータベースと照会するようなアプリケーションに対しては、モノクロ方式のＣＣＤ５にクリアフィルタ７ｄを組み合わせた本実施形態のモノクロ画像取得方式が有利である。
【００２９】
また、回転フィルタ７において、各フィルタ７ａ〜７ｄによって透過する光のエネルギー量（色感度）が異なっている。
例えば、白帳票をスキャナに読み込ませ、取得画像においても同じように白画像を再現させるためには、それぞれの色に対するレベルをあわせる必要があり、取得された色別の画像のゲイン値を変化させることでもあわせることは可能である。
しかしながら、例えば、白い基準の帳票画像を取得させた場合において、緑の画像に対して青の画像レベルが極端に小さい場合、取得された画像をゲイン値によってのみ持ち上げようとすると、ゲイン値が高くなり過ぎることによって画像のノイズが目立ちはじめる。
このため、青色フィルタ７ｃによる画像取得の場合には、取得する際のＣＣＤ５に対する露光時間を他の色に比較して多くとることが必要となる。
【００３０】
回転フィルタ７を用いた画像取得において、各色の露光時間を調整する方法としては、回転フィルタ７の回転速度を制御して各色フィルタ７ａ〜７ｄの通過時間を調整する方法や、各色フィルタ７ａ〜７ｄの回転方向の長さを定める開き角度を変えて各色フィルタ７ａ〜７ｄの通過時間を調整する方法が考えられる。
前者の方法では、一回のカラー画像取得において、早い回転部分と遅い回転部分とを設ける必要があるので、回転速度の制御が複雑になり、また、加速領域、減速領域を設ける必要があるので、回転フィルタ７に加速・減速用の余分な領域を設ける必要がある。
このため、回転フィルタ７の直径が大きくなり、スキャナヘッド４の大型化をまねくおそれがある。
【００３１】
一方、後者の方法では、回転フィルタ７における各色フィルタ７ａ〜７ｄの開き角度を、各色の色感度に反比例するように設定すれば、一定速度で回転フィルタ７を回転させても、色感度に応じて各色の露光量（露光時間）を変えることができるので、高画質なカラー撮像を行うことができる。
例えば、各色フィルタ７ａ〜７ｄの開き角度を、各色の色感度に応じて図６に示すように設定する。
【００３２】
以上のように構成された本実施形態のスタンド型スキャナ装置１によれば、原稿から空間的に離れて配置されるスキャナヘッド４内に、原稿の光学像を電気信号に変換するＣＣＤ５と、原稿の光学像をＣＣＤ５の撮像面に結像させるレンズ群６と、回転方向に並ぶ複数色のフィルタ７ａ〜７ｄによって、原稿の光学像に含まれる複数の色を分離する回転フィルタ７とを備え、回転フィルタ７は、レンズ群６に含まれる２枚のレンズ６ａ〜６ｄの間に配置されるので、回転フィルタ７を用いて光学像に含まれる複数の色を分離するものでありながら、回転フィルタ７の直径を可及的に小さくし、スキャナヘッド４を小型化することができる。
【００３３】
つまり、ＣＣＤ５とレンズ群６との間に回転フィルタ７を配置する場合には、回転フィルタ７の直径（各色フィルタ部分の直径方向の寸法）が、ＣＣＤ５の有効撮像面積、或いはＣＣＤ５と対向するレンズ６ａの有効透過面積によって決定されるが、レンズ群６に含まれる２枚のレンズ６ａ〜６ｄの間においては、光束が細くなる任意の位置を選択して回転フィルタ７を配置することができるので、回転フィルタ７の各色フィルタ部分の直径方向の寸法を小さくでき、ひいては、回転フィルタ７の直径を小さくすることができる。
【００３４】
また、回転フィルタ７は、レンズ群６に含まれる２枚のレンズ６ａ〜６ｄの間のうち、レンズ群６の中で光束が最も細くなる位置を含む２枚のレンズ６ａ〜６ｄの間に配置されるので、回転フィルタ７の直径をさらに小さくすることができる。
また、回転フィルタ７を透過する光束の断面積は、ＣＣＤ５の有効撮像面積よりも小さく、かつ、ＣＣＤ５と対向するレンズ６ａの有効透過面積よりも小さいので、ＣＣＤ５とレンズ群６との間に回転フィルタ７を配置する場合に比べ、回転フィルタ７の直径を確実に小さくすることができる。
【００３５】
また、回転フィルタ７は、カラー撮像用の複数の色フィルタ７ａ〜７ｃに加え、モノクロ撮像用のクリアフィルタ７ｄを備えるので、モノクロ用の光学ユニットを別途設けることなく、モノクロ撮像を行うことができる。
さらに、回転フィルタ７の各色フィルタ７ａ〜７ｄは、回転方向の長さを定める開き角度が、各色の色感度にもとづいて設定されるので、一定速度で回転フィルタ７を回転させても、色感度に応じて各色の露光量（露光時間）を変え、高画質なカラー撮像を行うことができる。
【００３６】
［第二実施形態］
つぎに、本発明の第二実施形態に係るスタンド型スキャナ装置について、図７及び図８を参照して説明する。ただし、前記実施形態と共通の構成については、前記実施形態と同じ符号を用いることにより、前記実施形態の説明を援用する。
【００３７】
図７は、本発明の第二実施形態に係るスキャナヘッド内の配置構成を示す概略斜視図であり、図８は、本実施形態に係る画素ずらし機構の作用を示す説明図である。
図７に示すように、第二実施形態に係るスタンド型スキャナ装置は、ＣＣＤ５と、その撮像面に結像される被写体の光学像との相対位置をずらす画素ずらし機構８を備える点が前記実施形態と相違している。
このようにすると、高解像度の大きなＣＣＤを用いることなく、解像度を高くすることができる。これにより、ＣＣＤの大型化に伴うレンズ群６や回転フィルタ７の大型化も回避することができる。
【００３８】
本実施形態の画素ずらし機構８は、ＣＣＤ５を動かすものであるが、ＣＣＤ５を動かすことなく、光学像を光学的に動かす画素ずらし機構としてもよい。
画素ずらし機構８は、ＣＣＤ５の画素同士の距離に対して丁度半分となるような距離だけＣＣＤ５を動かすことにより、画素ずらしを実現することができる。
本実施形態では、格子状の画素配列に対して対角で画素間の半分の距離だけＣＣＤ５を動かすことにより、画素ずらしを実現している。
なお、スキャナヘッド４の一端部には、光路をほぼ９０゜屈曲させるミラー９が配置されている。
【００３９】
以上、本発明に係るスタンド型スキャナ装置及び撮像方法、撮像装置の好ましい実施形態について説明したが、本発明に係るスタンド型スキャナ装置及び撮像方法、撮像装置は上述した実施形態にのみ限定されるものではなく、本発明の範囲で種々の変更実施が可能であることは言うまでもない。
【産業上の利用可能性】
【００４０】
本発明は、スキャナヘッド内に撮像素子、レンズ群及び回転フィルタを備え、被写体から空間的に離れた位置で被写体を撮像する書画カメラなどのスタンド型スキャナ装置及び撮像方法に適用することができる。
【図面の簡単な説明】
【００４１】
【図１】本発明の第一実施形態に係るスタンド型スキャナ装置の斜視図である。
【図２】本発明の第一実施形態に係るスキャナヘッド内の配置構成を示す概略側面図である。
【図３】本発明の第一実施形態に係るスキャナヘッドの内部構成を示す一部切り欠き側面図である。
【図４】本発明の第一実施形態に係るスキャナヘッドの内部構成を示す斜視図である。
【図５】本発明の第一実施形態に係る回転フィルタの正面図である。
【図６】本発明の第一実施形態に係る回転フィルタが備える各色フィルタの開き角度を示す表である。
【図７】本発明の第二実施形態に係るスキャナヘッド内の配置構成を示す概略斜視図である。
【図８】本発明の第二実施形態に係る画素ずらし機構の作用を示す説明図である。
【図９】一般的な回転フィルタの配置例を示す概略側面図である。
【符号の説明】
【００４２】
１  スタンド型スキャナ装置
２  原稿台
３  アーム
４  スキャナヘッド
５  ＣＣＤ
６  レンズ群
６ａ〜６ｄ  レンズ
７  回転フィルタ
７ａ〜７ｃ  各色フィルタ
７ｄ  クリアフィルタ
８  画素ずらし機構
【図１】
2010109784.tif 000003
【図２】
2010109784.tif 000004
【図３】
2010109784.tif 000005
【図４】
2010109784.tif 000006
【図５】
2010109784.tif 000007
【図６】
2010109784.tif 000008
【図７】
2010109784.tif 000009
【図８】
2010109784.tif 000010
【図９】
2010109784.tif 000011